(57)【要約】【課題】安易に盗難防止用ボルトを緩められず、外観上の体裁が良く、頭部カバーが掴み難く、ボルト頭部から離れるように頭部カバーを移動させることが安易には行えず、専用治具により螺着させたり、緩めたりすることが簡単に且つ確実に行え、構成簡素で、量産に適し、低廉で、経済的で、防犯性の優れた盗難防止用ボルトを提供する。【解決手段】ボルト本体Ａと頭部カバーＢと摺動杆Ｃと弾発スプリングＤとを備え、ボルト本体Ａはボルト軸部１とボルト頭部２とからなり、ボルト頭部２に嵌合凹部３を凹設し、頭部カバーＢの外表面を湾曲面で形成し、頭部カバーＢを弾発スプリングＤの弾発力に抗して移動せしめたときに、所定の隙間空間が設けられるよう形成し、隙間空間に差込み可能な専用治具Ｅの先端部に、ボルト本体Ａの嵌合凹部３に係止可能な嵌合凸部２３を形成し、専用治具Ｅの回転操作でボルト本体Ａを正逆回転できるよう構成する。【選択図】図１
2012087912.tif 000002
【特許請求の範囲】
【請求項１】
専用治具を用いることでのみ螺着させたり緩めたりすることが可能な盗難防止用ボルトであって、ボルト本体と、このボルト本体のボルト頭部を覆えるように形成される頭部カバーと、軸心方向に摺動自在で且つ軸心を中心として回動自在となるようにボルト本体に挿通されると共に、その一端部分が頭部カバーに固定される摺動杆と、ボルト本体内に縮装されると共に、頭部カバーがボルト本体のボルト頭部を常時覆うような向きの弾発力を摺動杆に付勢する弾発スプリングとを備え、ボルト本体は、その外周面に雄ネジ部が設けられたボルト軸部と、このボルト軸部の一端部分に連設されると共に、ボルト軸部の外径より大きなボルト頭部とからなり、ボルト本体の他端がわ内部には、スプリング収容空間を形成し、ボルト本体の一端がわ内部には、摺動杆が貫通される貫通孔を形成し、ボルト頭部の外表面の中央部分には、嵌合凹部を凹設し、頭部カバーの外表面を滑らかな湾曲面で形成すると共に、頭部カバーを正逆回転せしめても、その回転力がボルト本体には伝達されないように形成し、頭部カバーを弾発スプリングの弾発力に抗して移動せしめたときに、ボルト頭部と頭部カバーとの間に所定の隙間空間が設けられるように形成し、この隙間空間に差込み可能な専用治具の先端部に、ボルト本体の嵌合凹部に係止可能な嵌合凸部を形成し、専用治具の回転操作によってボルト本体を正逆回転できるよう構成したことを特徴とする盗難防止用ボルト。
【請求項２】
ボルト本体の嵌合凹部を、前記隙間空間から視認できないように形成したことを特徴とする請求項１記載の盗難防止用ボルト。
【発明の詳細な説明】
【技術分野】
【０００１】
本発明は、例えば、ナンバープレート等を固定するのに最適な盗難防止用ボルトに係り、専用工具を用いることでのみ螺着させることができ、また、非常時には専用工具を用いることでのみ緩めることが可能となるように工夫された盗難防止用ボルトに関するものである。
【背景技術】
【０００２】
従来、この種の盗難防止用ボルトにあっては、例えば、特許文献１に示すようなボルトが開示されている。
これは、特殊な工具を用いることなく締め付けることができ、締め付けた後では緩めることができず、しかし、非常時には緩めることができるボルトである。
具体的には、中心に凹部を有する第一ボルト軸からなる第一ボルトと、前記第一ボルト軸に設けた前記凹部に下半身が摺動自在に挿入される第二ボルト軸と、該第二ボルト軸の先端部に設けた第二セレーションとからなる第二ボルトと、前記第二ボルトの第二セレーションとは反対側の第二ボルト軸後端に設けたロック部とからなり、前記第一ボルトの頭部上には、一方方向の回転時には係止部となり、逆方向の回転時には係止部とならない第一係止部が形成され、前記第二セレーションの前記第一ボルトの頭部と対峙する面には、前記第一ボルトに設けた第一係止部に係止して該第一ボルトを一方方向にのみ回動する第二係止部が形成され、前記第一ボルトに設けた凹部の開口端部は、前記第二ボルト軸を挿通し、且つ該凹部に収納される前記ロック部を係止する狭部に構成されたものである。
【先行技術文献】
【特許文献】
【０００３】
【特許文献１】特開２００９−２７５７１４号公報
【発明の概要】
【発明が解決しようとする課題】
【０００４】
ところが、前述の如きボルトにあっては、非常時にボルトを緩めなければならなくなった場合に於いて、第二ボルトを上方へ引き上げて、第一ボルトと第二セレーションとの間に隙間を設け、この隙間を利用して第二ボルト軸を切断しなければならない。しかしながら、第二ボルト軸の切断作業自体は、専用の工具を利用したとしてもおいそれとはできないものであった。すなわち、盗難防止用としてはその役割りを十分に果たすことができるものとなっているが、非常時にボルトを緩めなければならない場合も多く、現実的な取扱いの上では、かなり不便でもあった。
また、ボルト自身の構成が複雑となり、製造コストが高くなる問題点等もあった。
【０００５】
そこで、本発明は、前述の如き難点等を解消することにより、盗難防止用としての役割りを十分に果たすことができると共に、非常時に於いてボルトを緩める作業が簡単に行え、より取扱い易く、しかも、構成が簡素で、量産に適し、低廉で、経済的な盗難防止用ボルトを提供すべく創出されたものである。
【課題を解決するための手段】
【０００６】
しかして、前述の如き課題を達成できるように、請求項１記載の盗難防止用ボルトにあっては、専用治具Ｅを用いることでのみ螺着させたり緩めたりすることが可能な盗難防止用ボルトであって、ボルト本体Ａと、このボルト本体Ａのボルト頭部２を覆えるように形成される頭部カバーＢと、軸心方向に摺動自在で且つ軸心を中心として回動自在となるようにボルト本体Ａに挿通されると共に、その一端部分が頭部カバーＢに固定される摺動杆Ｃと、ボルト本体Ａ内に縮装されると共に、頭部カバーＢがボルト本体Ａのボルト頭部２を常時覆うような向きの弾発力を摺動杆Ｃに付勢する弾発スプリングＤとを備え、ボルト本体Ａは、その外周面に雄ネジ部４が設けられたボルト軸部１と、このボルト軸部１の一端部分に連設されると共に、ボルト軸部１の外径より大きなボルト頭部２とからなり、ボルト本体Ａの他端がわ内部には、スプリング収容空間５を形成し、ボルト本体Ａの一端がわ内部には、摺動杆Ｃが貫通される貫通孔６を形成し、ボルト頭部２の外表面の中央部分には、嵌合凹部３を凹設し、頭部カバーＢの外表面を滑らかな湾曲面で形成すると共に、頭部カバーＢを正逆回転せしめても、その回転力がボルト本体Ａには伝達されないように形成し、頭部カバーＢを弾発スプリングＤの弾発力に抗して移動せしめたときに、ボルト頭部２と頭部カバーＢとの間に所定の隙間空間が設けられるように形成し、この隙間空間に差込み可能な専用治具Ｅの先端部に、ボルト本体Ａの嵌合凹部３に係止可能な嵌合凸部２３を形成し、専用治具Ｅの回転操作によってボルト本体Ａを正逆回転できるよう構成する手段を採用した。
【０００７】
また、請求項２記載の盗難防止用ボルトにあっては、ボルト本体Ａの嵌合凹部３を、前記隙間空間から視認できないように形成する手段を採用した。
【発明の効果】
【０００８】
従って、請求項１記載の盗難防止用ボルトによれば、例えば、ナンバープレート等の盗難を抑制できるようになると共に、盗難防止用としての役割りを十分に果たすことができるものとなる。更に、非常時に於いて盗難防止用ボルトを緩める場合は、その作業が簡単に行えるようになり、より取扱い易い盗難防止用ボルトとなる。
すなわち、専用治具Ｅを用いることによってのみボルト本体Ａを正逆回転させることが可能となり、盗難防止用ボルトを螺着させたり、緩めたりすることが簡単に且つ確実に行える盗難防止用ボルトとなる。
しかも、盗難防止用ボルト自身は、構成が簡素となり、量産に適し、低廉で、経済的なものとなる。
【０００９】
特に、頭部カバーＢは、ボルト本体Ａのボルト頭部２を覆えるように形成され、その外表面は、滑らかな湾曲面で形成されているので、盗難防止用ボルトの外観上の体裁が良くなる。更に、頭部カバーＢが掴み難くなり、ボルト本体Ａのボルト頭部２から離れるように頭部カバーＢを移動させることが安易には行えないようになる。すなわち、安易に盗難防止用ボルトを緩めることができないようになる。また、ボルト本体Ａのボルト頭部２及び頭部カバーＢの全体的な厚みを薄く構成し易くなり、ボルト頭部２及び頭部カバーＢが邪魔にならないスマートな盗難防止用ボルトを提供できるようになる。
【００１０】
加えて、ボルト頭部２の外表面の中央部分には、嵌合凹部３を凹設し、頭部カバーＢを弾発スプリングＤの弾発力に抗して移動せしめたときに、ボルト頭部２と頭部カバーＢとの間に所定の隙間空間が設けられるように形成し、この隙間空間に差込み可能な専用治具Ｅの先端部に、ボルト本体Ａの嵌合凹部３に係止可能な嵌合凸部２３を形成し、専用治具Ｅの回転操作によってボルト本体Ａを正逆回転できるよう構成したので、専用治具Ｅを所有していないものは、ボルト本体Ａ（盗難防止用ボルト）を正逆回転させることが不可能となり、防犯性の優れた盗難防止用ボルトとなる。
【００１１】
また、請求項２記載の盗難防止用ボルトによれば、専用治具Ｅを所有していないものが、ボルト本体Ａ（盗難防止用ボルト）を回転させて緩めようとしても、ボルト本体Ａの嵌合凹部３の情報（形状）が確認し難くなり、専用治具Ｅに代わるような治具を使用し難いものとなり、より防犯性の優れた盗難防止用ボルトとなる。
【図面の簡単な説明】
【００１２】
【図１】本発明の盗難防止用ボルトを例示する一部切欠分解斜視図である。
【図２】本発明の盗難防止用ボルトを例示する一部切欠正面図である。
【図３】本発明の盗難防止用ボルトを例示する一部切欠正面図である。
【図４】本発明の盗難防止用ボルトの使用例を示す一部切欠正面図である。
【発明を実施するための形態】
【００１３】
以下、本発明を図示例に基づいて説明すると、次の通りである。
本発明は、例えば、ナンバープレートや、その他盗難にあっては困るもの等を固定するための盗難防止用ボルトに係り、この盗難防止用ボルトは、専用治具Ｅを用いることでのみ螺着させることができ、また、一旦螺着させた後では緩めることができず（盗難防止のため）、しかも、非常時（例えば、取替えのときや、修理のときや、誤操作のとき等）には専用治具Ｅによってのみ緩めることが可能となるものである。
すなわち、通常の工具（例えば、ボックスレンチ、レンチ、スパナ、棒レンチ、その他等）では、螺着することも緩めることもできないように形成したものである。
具体的には、ボルト本体Ａと、このボルト本体Ａのボルト頭部２を覆えるように形成される頭部カバーＢと、軸心方向に摺動自在で且つ軸心を中心として回動自在となるようにボルト本体Ａに挿通されると共に、その一端部分が頭部カバーＢに固定される摺動杆Ｃと、ボルト本体Ａ内に縮装されると共に、頭部カバーＢがボルト本体Ａのボルト頭部２を常時覆うような向きの弾発力を摺動杆Ｃに付勢する弾発スプリングＤとを備えたものである。
そして、ボルト本体Ａは、その外周面に雄ネジ部４が設けられたボルト軸部１と、このボルト軸部１の一端部分に連設されると共に、ボルト軸部１の外径より大きなボルト頭部２とからなり、ボルト本体Ａの他端がわ内部には、スプリング収容空間５を形成し、ボルト本体Ａの一端がわ内部には、摺動杆Ｃが貫通される貫通孔６を形成し、ボルト頭部２の外表面の中央部分には、嵌合凹部３を凹設してある。
また、頭部カバーＢの外表面を滑らかな湾曲面で形成すると共に、頭部カバーＢを正逆回転せしめても、その回転力がボルト本体Ａには伝達されないように形成してある。
更に、頭部カバーＢを弾発スプリングＤの弾発力に抗して移動せしめたときに、ボルト頭部２と頭部カバーＢとの間に所定の隙間空間が設けられるように形成し、この隙間空間に差込み可能な専用治具Ｅの先端部に、ボルト本体Ａの嵌合凹部３に係止可能な嵌合凸部２３を形成し、専用治具Ｅの回転操作によってボルト本体Ａを正逆回転できるよう構成することにより、前記課題を達成する。
【実施例】
【００１４】
前記ボルト本体Ａは、例えば、金属材や合成樹脂材や適宜複合材等によって一体的に形成されており、具体的には、円筒状のボルト軸部１と、このボルト軸部１の一端部分に一体的に連設される偏平半球状のボルト頭部２とで構成されている。
更に、ボルト頭部２の外表面の中央部分に凹設される嵌合凹部３と、ボルト軸部１の外周面に形成される雄ネジ部４と、ボルト軸部１の内周面他端がわに形成されるスプリング収容空間５と、ボルト軸部１の内周面一端がわに形成されると共に、スプリング収容空間５より僅かに小径な貫通孔６とが設けられている。
【００１５】
そして、前記嵌合凹部３は、例えば、その輪郭形状が多角形状（図示例では、五角形状）で、比較的浅く形成されており、後述する専用治具Ｅの嵌合凸部２３に合致（或いは、一部に合致、或いは、係止）するように形成されている。
尚、嵌合凹部３を五角形状とした場合は、平行となる面（縁）がないこと等から、ボルト本体Ａを回転せしめるべく嵌合凹部３の一部に工具等を係止させ難くなる。すなわち、既存の工具等が利用できない（或いは、工具等を利用し難い、或いは、利用できるように工具等を改造し難い）ものとなり、防犯性のより優れたものとなる。
また、嵌合凹部３は、前記隙間空間から視認できない（或いは、視認し難い）ように形成してあり、専用治具Ｅを所有していないものが、ボルト本体Ａ（盗難防止用ボルト）を回転させて緩めようとしても、ボルト本体Ａの嵌合凹部３の情報（形状）が確認し難くなって、専用治具Ｅに代わるような工具や治具等の使用が難しくなるように形成してある。
【００１６】
前記雄ネジ部４は、例えば、適宜ナットに螺合できるように構成されたものであっても良いし、スクリュウ状に形成されて、そのまま螺着できるように構成されたものであっても良い。
【００１７】
前記スプリング収容空間５は、コイルスプリング状の弾発スプリングＤが縮装可能に形成されており、また、前記貫通孔６は、スプリング収容空間５に連通されると共に、スプリング収容空間５より小径に形成されており、しかも、摺動杆Ｃが摺動且つ回動自在となるように形成されている。
【００１８】
前記頭部カバーＢは、例えば、金属材や合成樹脂材や適宜複合材等によって一体的に形成されており、具体的には、ボルト本体Ａのボルト頭部２を干渉することなく収容できるような窪みがその他端面（底面）がわに形成され、その一端がわとなる外表面が（偏平な）半球面状に形成されている。そして、他端がわ中央部分には雌ネジ部７が形成されており、この雌ネジ部７には、摺動杆Ｃの一端に設けた雄ネジ部１２が螺着できるように形成されている。
尚、頭部カバーＢの半球面状部分に於いて、その他端がわ周縁部分を面取り状に形成して、この部分をプライヤー等によって滑ることなく挟めるように形成しても良い。すなわち、頭部カバーＢを弾発スプリングＤの弾発力に抗して移動させ易くなるように配慮してあっても良い。
また、摺動杆Ｃを雌ネジ部７によって固定できるように図示されているが、摺動杆Ｃを頭部カバーＢに一体的に連設してあっても良い。
【００１９】
前記摺動杆Ｃは、例えば、金属材や樹脂材や適宜複合材等によって一体的に形成されており、具体的には、ボルト本体Ａの貫通孔６に回動且つ摺動自在に挿通できるよう形成された細長円柱状の杆部１０を形成し、この杆部１０の他端に抜止め突部１１を設け、杆部１０の一端に雄ネジ部１２を設けて構成されている。
そして、抜止め突部１１は、例えば、ボルト本体Ａのスプリング収容空間５の内径より小径で、貫通孔６の内径より稍大径で、且つ弾発スプリングＤの他端部分に係止できるような薄肉円板状に形成されている。尚、抜止め突部１１は、例えば、ＥリングやＣリング等を杆部１０の他端に装着することにより構成したものであっても良い。
また、摺動杆Ｃを頭部カバーＢに一体的に設ける場合は、雄ネジ部１２（及び雌ネジ部７）は不要となる。
【００２０】
前記弾発スプリングＤは、例えば、コイルスプリング状に形成されており、ボルト本体Ａの貫通孔６の他端開口周縁部分と、摺動杆Ｃの抜止め突部１１との間に縮装されて、摺動杆Ｃを軸心方向に於いて、他端がわに引き戻すような（ボルト本体Ａのボルト頭部２を頭部カバーＢが覆うような）弾発力を常時付勢できるように構成されている。
【００２１】
前記専用治具Ｅは、例えば、金属材や合成樹脂材や適宜複合材等によって適宜形成することができるものであって、頭部カバーＢに当接しないように側面コ字形状に形成される治具本体２０と、この治具本体２０の基端部に連設される握り２１とからなっている。すなわち、手指によって安定した回転力をスムーズに加えることができるように形成されている。
そして、治具本体２０の先端部分は、頭部カバーＢを弾発スプリングＤの弾発力に抗して移動せしめたときに、ボルト頭部２と頭部カバーＢとの間に設けられる所定の隙間空間にスムーズに差込めるような比較的偏平な状態に形成されており、しかも、摺動杆Ｃの杆部１０が収容される細長Ｕ溝状の杆部収容切欠２２を左右から挟むような二股状に形成されている。更に、その先端部の他端面には、ボルト本体Ａの嵌合凹部３の一部に合致するような嵌合凸部２３が形成されている。
すなわち、専用治具Ｅを使用する際は、先ず、プライヤー等で頭部カバーＢを挟むと共に頭部カバーＢを弾発スプリングＤの弾発力に抗して移動せしめ、ボルト頭部２と頭部カバーＢとの間に設けられた所定の隙間空間に専用治具Ｅの先端部分を差込む。このとき、杆部収容切欠２２内に摺動杆Ｃの杆部１０が収まるようにすると共に、杆部収容切欠２２と杆部１０がガイドとなって、杆部収容切欠２２の奥方まで杆部１０が収まるように専用治具Ｅを移動させる。そして、専用治具Ｅを少し宛旋回させて探りながら嵌合凸部２３を嵌合凹部３に嵌合せしめる。それから、嵌合凸部２３と嵌合凹部３の嵌合状態のまま、専用治具Ｅと共にボルト本体Ａを回転せしめることで、ボルト本体Ａを緩められる（或いは、螺着できる）ようになる。
【００２２】
本発明の盗難防止用ボルトは、以上に述べた実施形態に限られるものではなく、発明の要旨を逸脱しない範囲内で各種の変更が可能なものである。
【産業上の利用可能性】
【００２３】
しかして、本発明の盗難防止用ボルトは、専用治具Ｅを用いることによってのみボルト本体Ａを正逆回転させることが可能となり、しかも、構成が簡素で、量産に適し、低廉で、経済的な盗難防止用ボルトとなる。
【符号の説明】
【００２４】
Ａ      ボルト本体
１      ボルト軸部
２      ボルト頭部
３      嵌合凹部
４      雄ネジ部
５      スプリング収容空間
６      貫通孔
Ｂ      頭部カバー
７      雌ネジ部
Ｃ      摺動杆
１０    杆部
１１    抜止め突部
１２    雄ネジ部
Ｄ      弾発スプリング
Ｅ      専用治具
２０    治具本体
２１    握り
２２    杆部収容切欠
２３    嵌合凸部
【図１】
2012087912.tif 000003
【図２】
2012087912.tif 000004
【図３】
2012087912.tif 000005
【図４】
2012087912.tif 000006